(57)【要約】【課題】電子機器のドア構造において、ドアが自然に倒れて開ききってしまうことを防止できると共に、ドアをロックするための部材を外観される箇所からなくすことができる。【解決手段】ジャック端子７ａ，７ｂ，７ｃの前面を開閉するドア１０がフロントパネル９に支持されている。フロントパネル９は、軸部２１と、フロントパネル９の内方に伸びる撓み変形可能なフック部２２を有し、ドア１０は、軸部２１に嵌合される爪部３１を有する。フック部２２は、爪部３１に接触する突起２２ａを有する。爪部３１は、ドア１０を閉じたときに突起２２ａが嵌まり込む第１の谷部３１ａと、ドア１０を開いたときにフック部２２を撓ませるフック撓ませ部３１ｃと、ドア１０を開ききったときに突起２２ａが嵌まり込む第２の谷部３１ｂを有する。ドア１０を開くとフック部２２が撓み、フック部２２とフック撓ませ部３１ｃとの間の摩擦力によって、ドア１０の姿勢が保持される。【選択図】図４
2006059892.tif 000002
【特許請求の範囲】
【請求項１】
筐体を構成するフロントパネルと、前記フロントパネルに配置され、ＡＶ信号入出力用ケーブルを接続するための端子部及び／又は操作スイッチ部（これらを入出力部という）と、前記入出力部の前面を被うと共に、前記フロントパネルに水平軸回りに回動自在に支持されて開閉するドアとを備え、
前記ドアは、垂直姿勢で前記入出力部の前面を被って閉じた状態となり、この垂直姿勢から回動することにより前記入出力部の前面を開いた状態となる電子機器のドア構造において、
前記フロントパネルは、前記ドアを回動自在に支持するための水平方向に伸びる軸部と、前記軸部の上方にて内方に伸び上下に撓み変形可能なフック部とを有し、
前記ドアは、該ドアの下端側に、前記軸部に嵌合されて該ドアを回動自在に支持するための爪部を有し、
前記フック部は、該フック部の下面に、前記爪部の外周面に接触する突起を有し、
前記爪部は、前記ドアが閉状態のときに前記突起が嵌まり込む第１の谷部と、前記ドアが開状態のときに前記突起が嵌まり込む第２の谷部と、前記第１の谷部から前記第２の谷部に向かうに連れて前記軸部の中心から該爪部の外周面までの径が大きくなるフック撓ませ部とを備え、
前記ドアが閉状態のとき、前記フック部の突起が前記爪部の第１の谷部に嵌まり込んでロックされており、
前記ドアを閉状態から開く方向に回動させたときに、その回動に連れて前記フック撓ませ部が前記突起を押し上げ前記フック部の撓み量が徐々に増大し、
前記ドアが開状態のとき、前記フック部の突起が該フック部の撓み変形の復元力により前記爪部を押し付けることにより、前記ドアの姿勢が保持され、
前記ドアを開ききった状態において、前記フック部の突起が前記爪部の第２の谷部に嵌まり込んで再びロックがかかるように構成されていることを特徴とする電子機器のドア構造。
【請求項２】
筐体と、前記筐体に配置され、信号入出力用ケーブルを接続するための端子部及び／又は操作スイッチ部（これらを入出力部という）と、前記入出力部の前面を被うと共に、前記筐体に回動自在に支持されて開閉するドアとを備える電子機器のドア構造において、
前記筐体は、前記ドアを回動自在に支持するための軸部と、撓み変形可能なフック部とを有し、
前記ドアは、前記軸部に嵌合されて該ドアを回動自在に支持するための爪部を有し、
前記爪部は、前記ドアを開く方向に回動させたときに前記フック部を撓ませるフック撓ませ部を有し、
前記ドアが開状態のとき、前記フック部が該フック部の撓み変形の復元力により前記爪部のフック撓ませ部を押し付けることにより、前記ドアの姿勢が保持されることを特徴とする電子機器のドア構造。
【請求項３】
前記ドアは、水平軸回りに回動自在であり、垂直姿勢で前記入出力部の前面を被って閉じた状態となり、この垂直姿勢から回動することにより前記入出力部の前面を開いた状態となり、
前記フック撓ませ部は、前記ドアを開く方向に回動させるに連れて前記フック部の撓み量を徐々に増大させる請求項２に記載の電子機器のドア構造。
【発明の詳細な説明】
【技術分野】
【０００１】
本発明は、例えばＡＶ機器等の電子機器の端子部や操作スイッチ部の前面を開閉する電子機器のドア構造に関するものである。
【背景技術】
【０００２】
従来から、電子機器のドア構造において、フロントパネルに水平軸回りに回動自在に支持されて開閉するドアを備え、ドアが垂直姿勢のときに端子部や操作スイッチ部の前面を被って閉じた状態となり、この垂直姿勢から回動することにより端子部や操作スイッチ部の前面を開いた状態となるものがある。
【０００３】
このような電子機器のドア構造は、ドアを途中まで開いた姿勢で保持するための構造を有しておらず、ドアを開き始めると、ドアが自重により自然に倒れて開ききってしまう構造になっている。また、ドアを閉めたときにドアをロックするために、ドアの内側に突起物を設けると共に、フロントパネルに突起物と係合するラッチと呼ばれる部材を設けた構造になっている。これら突起物とラッチは、ドアを開いたときに外観できる箇所に設けられている。
【０００４】
また、筐体の開口部にバネ部材を設けると共に、開閉自在なカバーの端部に爪部を設け、カバーを開いて筐体の開口部に押し込んだとき、カバーの爪部が筐体のバネ部材に引っ掛かることにより、カバーが筐体内に脱落しないようにしたカバーの取付構造が知られている（例えば、特許文献１参照）。また、筐体の開口部の両側面に軸を設けると共に開閉蓋の左右両端に軸支部を設け、軸と軸支部に面取り部を形成し、開閉蓋を筐体に押し込んで軸支部に軸を嵌め込むことにより開閉蓋を筐体に取付けるようにし、一旦開閉蓋を筐体に取付けると、開閉蓋が筐体から脱落しないようにした開閉蓋の取付構造が知られている（例えば、特許文献２参照）。
【０００５】
また、カバーの下面に弾性片を設けることにより、カバーをボックス本体上部に冠着したとき、カバーとボックス本体との係合が不完全である場合に、弾性片の反発力の作用でカバーを押戻すようにして、カバーの不完全な冠着を認識できるようにしたボックスとカバーのロック構造が知られている（例えば、特許文献３参照）。また、箱体本体の蝶番に隣接して案内辺を設けると共に、蝶番ピンの頭部に案内溝を有するフックを装着し、案内辺を案内溝に嵌挿することにより、フックの弾性力により蝶番ピンを箱体本体に保持するようにし、蝶番ピンが脱落しないようにした電気機器収納用箱体が知られている（例えば、特許文献４参照）。さらに、開閉カバーに過度な回転力が加わった場合に、軸押さえ片が弾性変形して枢軸が軸溝から離脱し、開閉カバーが筐体から脱落することにより、過度な力を吸収して開閉カバーが破損しないようにした開閉カバー保持構造が知られている（例えば、特許文献５参照）。
【特許文献１】特開２０００−１３０３６号公報
【特許文献２】特開平６−３０２９７５号公報
【特許文献３】特開平５−１９８２４９号公報
【特許文献４】特開２０００−７３６４３号公報
【特許文献５】特開平１０−２５９４８号公報
【発明の開示】
【発明が解決しようとする課題】
【０００６】
ところが、上述した従来のドア構造においては、ドアを開き始めるとドアが自然に倒れるため、高級感が損なわれてしまう。また、ドアをロックするための突起物及びラッチがドアを開いたときに外観できる箇所に設けられているため、これによっても高級感が損なわれてしまい、さらに、突起物及びラッチの存在により、端子部や操作スイッチ部の名称表示等が見え難くなる。なお、上述した特許文献１乃至特許文献５に開示の内容を適用したとしても、上記の課題を解決することはできない。
【０００７】
本発明は、上記課題を解決するためになされたものであり、ドアが自然に倒れて開ききってしまうことを防止でき、また、ドアをロックするための部材をドアを開いたときに外観される箇所からなくすことができる電子機器のドア構造を提供することを目的とする。
【課題を解決するための手段】
【０００８】
上記目的を達成するために請求項１の発明は、筐体を構成するフロントパネルと、フロントパネルに配置され、ＡＶ信号入出力用ケーブルを接続するための端子部及び／又は操作スイッチ部（これらを入出力部という）と、入出力部の前面を被うと共に、フロントパネルに水平軸回りに回動自在に支持されて開閉するドアとを備え、ドアは、垂直姿勢で入出力部の前面を被って閉じた状態となり、この垂直姿勢から回動することにより入出力部の前面を開いた状態となる電子機器のドア構造において、フロントパネルは、ドアを回動自在に支持するための水平方向に伸びる軸部と、軸部の上方にて内方に伸び上下に撓み変形可能なフック部とを有し、ドアは、該ドアの下端側に、軸部に嵌合されて該ドアを回動自在に支持するための爪部を有し、フック部は、該フック部の下面に、爪部の外周面に接触する突起を有し、爪部は、ドアが閉状態のときに突起が嵌まり込む第１の谷部と、ドアが開状態のときに突起が嵌まり込む第２の谷部と、第１の谷部から第２の谷部に向かうに連れて軸部の中心から該爪部の外周面までの径が大きくなるフック撓ませ部とを備え、ドアが閉状態のとき、フック部の突起が爪部の第１の谷部に嵌まり込んでロックされており、ドアを閉状態から開く方向に回動させたときに、その回動に連れてフック撓ませ部が突起を押し上げフック部の撓み量が徐々に増大し、ドアが開状態のとき、フック部の突起が該フック部の撓み変形の復元力により爪部を押し付けることにより、ドアの姿勢が保持され、ドアを開ききった状態において、フック部の突起が爪部の第２の谷部に嵌まり込んで再びロックがかかるように構成されているものである。
【０００９】
請求項２の発明は、筐体と、筐体に配置され、信号入出力用ケーブルを接続するための端子部及び／又は操作スイッチ部（これらを入出力部という）と、入出力部の前面を被うと共に、筐体に回動自在に支持されて開閉するドアとを備える電子機器のドア構造において、筐体は、ドアを回動自在に支持するための軸部と、撓み変形可能なフック部とを有し、ドアは、軸部に嵌合されて該ドアを回動自在に支持するための爪部を有し、爪部は、ドアを開く方向に回動させたときにフック部を撓ませるフック撓ませ部を有し、ドアが開状態のとき、フック部が該フック部の撓み変形の復元力により爪部のフック撓ませ部を押し付けることにより、ドアの姿勢が保持されるものである。
【００１０】
請求項３の発明は、請求項２に記載の電子機器のドア構造において、ドアは、水平軸回りに回動自在であり、垂直姿勢で入出力部の前面を被って閉じた状態となり、この垂直姿勢から回動することにより入出力部の前面を開いた状態となり、フック撓ませ部は、ドアを開く方向に回動させるに連れてフック部の撓み量を徐々に増大させるものである。
【発明の効果】
【００１１】
請求項１の発明によれば、ドアを開くと、フック部は、爪部のフック撓ませ部により撓まされ、撓み変形の復元力により爪部のフック撓ませ部を押し付ける。これにより、ドアは、フック部とフック撓ませ部との間に生じる摩擦力によって、ドアの自重による回動が規制され、ドアを開いたときの姿勢が保持される。従って、ドアを開いたときに、ドアが自重によって自然に倒れて開ききってしまうことがなく、高級感を向上させることができる。しかも、ドアを開いてドアの姿勢が水平に近付くに連れて、フック部の撓み量が徐々に増大し、フック部とフック撓ませ部との間に生じる摩擦力が徐々に大きくなる。従って、ドアの姿勢が水平に近付くに連れてドアの自重による回転負荷が大きくなっても、ドアの自重による回動を確実に規制でき、ドアがどのような姿勢にあっても、その姿勢を確実に保持できる。
【００１２】
また、ドアを閉じたときは、フック部の突起が爪部の第１の谷部に嵌まり込むことによりドアがロックされ、ドアを開ききったときは、フック部の突起が爪部の第２の谷部に嵌まり込むことによりドアがロックされる。さらに、ドアの姿勢を保持する部材であると共にドアをロックする部材であるフック部は、フロントパネルの内方に伸びているため、ドアを開いたときに外観されることがなく、従って、高級感をより向上させることができ、また、端子部や操作スイッチ部の名称表示等を見え易くできる。
【００１３】
請求項２の発明によれば、ドアを開くと、フック部は、爪部のフック撓ませ部により撓まされ、撓み変形の復元力により爪部のフック撓ませ部を押し付ける。これにより、ドアは、フック部とフック撓ませ部との間に生じる摩擦力によって、ドアの自重による回動が規制され、ドアを開いたときの姿勢が保持される。従って、ドアを開いたときに、ドアが自重によって自然に倒れて開ききってしまうことがなく、高級感を向上させることができる。
【００１４】
請求項３の発明によれば、ドアを開いてドアの姿勢が水平に近付くに連れて、フック部の撓み量が徐々に増大し、フック部とフック撓ませ部との間に生じる摩擦力が徐々に大きくなる。従って、ドアの姿勢が水平に近付くに連れてドアの自重による回転負荷が大きくなっても、ドアの自重による回動を確実に規制でき、ドアがどのような姿勢にあっても、その姿勢を確実に保持できる。
【発明を実施するための最良の形態】
【００１５】
以下、本発明を具体化した実施形態による電子機器のドア構造について図面を参照して説明する。図１（ａ）（ｂ）は、ドア構造を備える電子機器である光ディスクプレイヤの概略構成を示す。
【００１６】
光ディスクプレイヤ１は、光ディスクに対して映像・音声等の情報を記録／再生する電子機器である。この光ディスクプレイヤ１は、光ディスクプレイヤ１の電源をオン／オフするための電源スイッチ２と、光ディスクを挿入するためのディスク挿入口３と、光ディスクプレイヤ１の動作状態を表示する液晶表示部４と、光ディスクに対する情報の記録・再生等の各種動作を指示するための複数の操作スイッチ５と、ＡＶ信号入出力用ケーブル６ａ，６ｂ，６ｃを接続するためのジャック端子７ａ，７ｂ，７ｃとを備えている。これら電源スイッチ２、ディスク挿入口３、液晶表示部４、操作スイッチ５、及びジャック端子７ａ，７ｂ，７ｃは、筐体８を構成するフロントパネル９に設けられている。
【００１７】
また、光ディスクプレイヤ１は、ジャック端子７ａ，７ｂ，７ｃの前面を被って開閉自在なドア１０を備えている。ドア１０は、フロントパネル９に水平軸回りに回動自在に支持されており、垂直姿勢でジャック端子７ａ，７ｂ，７ｃの前面を被って閉じた状態となり、この垂直姿勢から回動することによりジャック端子７ａ，７ｂ，７ｃの前面を開いた状態となる。フロントパネル９のドア１０を開いたときに現れる箇所には、ジャック端子７ａ，７ｂ，７ｃの名称表示等（図示の例では「音声」「映像」「Ｓ映像」の文字）が施されている。
【００１８】
図２は、上記光ディスクプレイヤ１のドア構造を示す。フロントパネル９は、ドア１０を回動自在に支持するための軸部２１と、ドア１０の姿勢を保持すると共にドア１０をロックするためのフック部２２とを有する。フック部２２は、フロントパネル９の内方に伸びており、上下に撓み変形可能になっている。軸部２１は、フック部２２の下方に位置して水平方向に伸びている。ドア１０は、その下端側に、軸部２１に嵌合されてドア１０を回動自在に支持するための爪部３１を有しており、爪部３１が軸部２１に嵌合されることにより、水平軸回りに回動自在に支持されている。爪部３１は、フロントパネル９の内方にてフック部２２の下方に位置する。
【００１９】
図３は、上記ドア構造のフック部２２及び爪部３１の構成を示す。フック部２２は、その下面に、爪部３１の外周面に接触する突起２２ａを有する。爪部３１は、ドア１０が垂直姿勢のときに突起２２ａが嵌まり込む第１の谷部３１ａと、ドア１０が水平姿勢のときに突起２２ａが嵌まり込む第２の谷部３１ｂと、ドア１０を垂直姿勢から回動させたときに突起部２２ａを押し上げてフック部２２を撓ませるフック撓ませ部３１ｃとを有する。
【００２０】
フック撓ませ部３１は、第1の谷部３１ａから第２の谷部３１ｂに至る領域に形成されており、フック撓ませ部３１の軸心（軸部２１の中心）Ｃから外周面までの径Ｒは、第１の谷部３１ａの直近箇所での径Ｒ１よりも第２の谷部３１ｂの直近箇所での径Ｒ２の方が長く、しかも、第１の谷部３１ａから第２の谷部３１ｂに向かうに連れて徐々に大きくなっている。このフック撓ませ部３１の径Ｒの変化は、フック撓ませ部３１の厚みの変化に対応している。
【００２１】
図４（ａ）（ｂ）（ｃ）は、上記ドア構造によるドア１０の動作を示す。まず、図４（ａ）に示すように、ドア１０が垂直姿勢にあるときは、爪部３１の第１の谷部３１ａにフック部２２の突起２２ａが嵌まり込んでいる。これにより、ドア１０は、ロックされて、垂直姿勢すなわちジャック端子７ａ，７ｂ，７ｃの前面を閉じた状態に保持される。
【００２２】
この状態から、図４（ｂ）に示すように、ドア１０を開く方向に回動させると、フック撓ませ部３１ｃが突起２２ａを押し上げてフック部２２を撓ませる。その結果、突起２２ａは、フック部２２の撓み変形の復元力により、フック撓ませ部３１ｃを押し付ける。これにより、ドア１０は、突起２２ａとフック撓ませ部３１ｃとの間に生じる摩擦力及び爪部３１と軸部２１との間に生じる摩擦力によって、ドア１０の自重による回動が規制され、ドア１０を途中まで開いたときの姿勢が保持される。
【００２３】
また、フック撓ませ部３１ｃは上述のように第１の谷部３１ａから第２の谷部３１ｂに向かうに連れて径が徐々に大きくなっているため、ドア１０を水平姿勢に近付けるに連れて、フック撓ませ部３１ｃが突起２２ａを少しずつ押し上げてゆき、フック部２２の撓み量が徐々に増大する。その結果、突起２２ａがフック撓ませ部３１ｃを押し付ける力は、ドア１０を水平姿勢に近付けるに連れて次第に大きくなり、突起２２ａとフック撓ませ部３１ｃとの間生じる摩擦力及び爪部３１と軸部２１との間に生じる摩擦力も、ドア１０を水平姿勢に近付けるに連れて次第に大きくなる。これにより、ドア１０を水平姿勢に近付けるに連れてドア１０の自重による回転負荷が大きくなっても、ドア１０の自重による回動が確実に規制され、ドア９の姿勢が保持される。
【００２４】
さらに、図４（ｃ）に示すように、ドア１０を水平姿勢まで開ききると、第２の谷部３１ｂに突起２２ａが嵌まり込む。これにより、ドア１０は、再びロックされ、水平姿勢すなわちジャック端子７ａ，７ｂ，７ｃの前面を開いた状態に保持される。なお、ドア１０を水平姿勢まで開ききった状態では、ドア１０の下端縁がフロントパネル９のドア規制凸部９ａに当接することにより、力を加えてもそれ以上ドア１０が開かないように規制されている。
【００２５】
また、ドア１０を開ききった状態から閉める方向に回動させると、ドア１０を開く方向に回動させた場合と同様にドア１０の自重による回動が規制され、ドア１０を途中まで閉めたときの姿勢が保持される。そして、ドア１０を垂直姿勢まで閉めきると、図４（ａ）に示すように、第１の谷部３１ａに突起２２ａが嵌まり込んで、ドア１０が垂直姿勢にロックされる。
【００２６】
このように、上記ドア構造によれば、ドア１０を開いたときに、フック部２２が爪部３１を押し付けるため、ドア１０が自重によって自然に倒れて開ききってしまうことがなく、ドア１０の姿勢が保持される。しかも、ドアの姿勢が水平近くになるに連れて、フック部２２が爪部３１を押し付ける力が大きくなるため、ドア１０の姿勢が水平に近付くになっても、ドア１０の姿勢が保持される。従って、ドア１０を開いたときに、ドア１０が自重によって自然に倒れて開ききってしまうことがなく、高級感を向上させることができる。
【００２７】
また、フック部２２はフロントパネル９の内方に伸びており、爪部３１はフロントパネル９の内方にてフック部２２の下方に位置するため、これらドア１０の姿勢を保持すると共にドア１０をロックする部材であるフック部２２及び爪部３１は、ドア１０を開いたときに外観されることがない。従って、高級感をより向上させることができ、また、ジャック端子７ａ，７ｂ，７ｃの名称表示等を見え易くできる。
【００２８】
なお、本発明は、上記実施形態の構成に限られず、種々の変形が可能である。例えば、上記実施形態において、フック部２２は、軸部２１及び爪部３１の上方に水平に伸びているものに限られず、軸部２１及び爪部３１の下方や側方に水平に伸びていてもよく、また、水平に伸びているものに限られず、上下方向に伸びていてもよい。これらの場合、フック部２２と爪部３１との位置関係及びフック部２２の撓む方向に応じて、爪部３１に第１の谷部３１ａ、第２の谷部３１ｂ、及びフック撓ませ部３１ｃを設ければよい。
【００２９】
また、爪部３１は、第1の谷部３１ａ及び第２の谷部３１ｂを備えなくてもよい。この場合、ドア１０を閉めきった姿勢から開ききった姿勢の全ての姿勢のときに、フック撓ませ部３１ｃが常に突起２２を押し上げてフック部２２を撓ませるようにしておけばよい。このような構成によっても、ドア１０を閉めきったとき及び開ききったときの姿勢を保持することができる。また、フック部２２は、突起２２ａを備えなくてもよく、この場合、フック撓ませ部３１ｃがフック部２２の下面を直接押し上げてフック部２２を撓ませるようにしておけばよい。
【００３０】
爪部３１は、ドア１０の下端側に限られず、ドア１０の上端側に設けられていてもよい。ドア１０は、垂直姿勢でジャック端子７ａ，７ｂ，７ｃの前面を閉じ、水平姿勢でジャック端子７ａ，７ｂ，７ｃの前面を開くものに限られず、水平姿勢でジャック端子７ａ，７ｂ，７ｃの前面を閉じ、垂直姿勢でジャック端子７ａ，７ｂ，７ｃの前面を開くものであってもよい。また、ドア１０は、ジャック端子７ａ，７ｂ，７ｃの前面を開閉するものに限られず、操作スイッチ５等の機器動作を指示するためのスイッチ類の前面を開閉するものであってもよい。ジャック端子７ａ，７ｂ，７ｃは、ＡＶ信号入出力用ケーブルを接続するものに限られず、その他の信号入出力用ケーブルを接続するものであってもよい。
【００３１】
また、本発明のドア構造は、光ディスクプレイヤ１に限られず、ディスプレイ装置や、ＶＣＲ、ハードディスクレコーダ等のＡＶ機器にも適用可能であり、さらに、画像表示プロジェクタや、プリンタ等にも適用可能である。
【図面の簡単な説明】
【００３２】
【図１】（ａ）は本発明の一実施形態に係るドア構造を備える光ディスクプレイヤの概略構成を示すドアを閉じた状態の斜視図、（ｂ）は同光ディスクプレイヤのドアを開いた状態の部分拡大斜視図。
【図２】同ドア構造を示す筐体の内側から見た一部破断した部分斜視図。
【図３】同ドア構造のフック部及び爪部の構成を示す図１のＰ−Ｐ線断面に相当する拡大断面図。
【図４】同ドア構造によるドアの動作を示す図１のＰ−Ｐ線断面に相当する図であり、（ａ）はドアを閉めきった状態での断面図、（ｂ）は同ドアを途中まで開いた状態での断面図、（ｃ）は同ドアを開ききった状態での断面図。
【符号の説明】
【００３３】
１    光ディスクプレイヤ（電子機器）
６ａ，６ｂ，６ｃ    ＡＶ信号入出力用ケーブル
７ａ，７ｂ，７ｃ    ジャック端子
８    筐体
９    フロントパネル
１０    ドア
２１    軸部
２２    フック部
２２ａ    突起
３１    爪部
３１ａ    第１の谷部
３１ｂ    第２の谷部
３１ｃ    フック撓ませ部
【図１】
2006059892.tif 000003
【図２】
2006059892.tif 000004
【図３】
2006059892.tif 000005
【図４】
2006059892.tif 000006